(57)【要約】      （修正有）【課題】生体情報収集センサを適切に固定することが可能な固定ベルトを提供する。【解決手段】生体情報収集センサ６０を測定対象部位に固定する帯状形状の固定ベルト１であって、生体情報収集センサを覆うセンサ配置部２と、センサ配置部の一方の部分から延出する第１帯状部３と、センサ配置部の他方の部分から、第１帯状部と反対の長手方向に向かって延出する第２帯状部４を備え、第１帯状部、及び前記第２帯状部の裏面の端部には、固定ベルトの表面に接着、引き剥がし自在に固定可能な固定部５がそれぞれ設けられ、センサ配置部は、少なくとも近赤外線を遮光する遮光素材から構成されている。【選択図】図１
0003227193.tif 000002
【実用新案登録請求の範囲】
【請求項１】
生体情報の収集が行われる測定対象者の測定対象部位に巻きつけられて、前記測定対象部位の前記生体情報を収集する生体情報収集センサを所望の位置に固定する帯状形状の固定ベルトであって、
前記固定ベルトは、
前記測定対象部位に配置された前記生体情報収集センサを覆うセンサ配置部と、
前記センサ配置部の前記帯状形状の長手方向の一方の側の部分から、前記センサ配置部から離れる前記長手方向に向かって延出する第１帯状部と、
前記センサ配置部の前記長手方向の他方の側の部分から、前記第１帯状部とは反対側に向かって延出する第２帯状部と、
を備えており、
前記第１帯状部、及び前記第２帯状部の、前記生体情報収集センサを固定する際に前記測定対象部位の側を向く裏面の、前記センサ配置部から離れた側の端部には、前記固定ベルトの表面に接着、引き剥がし自在に固定可能な固定部がそれぞれ設けられ、
前記センサ配置部は、少なくとも近赤外線を遮光する遮光素材から構成されている、
固定ベルト。
【請求項２】
前記第１帯状部は、
前記センサ配置部の前記長手方向と交わる幅方向の一方の側に寄った部分から延出する帯状の部分であり、
前記第２帯状部は、
前記センサ配置部の前記幅方向の前記第１帯状部とは反対の側に寄った部分から延出する帯状の部分である、
請求項１に記載の固定ベルト。
【請求項３】
前記第１帯状部の前記長手方向に延びる一組の第１長辺のうち、前記生体情報収集センサを固定した際に前記第２帯状部の側となる一方は、前記センサ配置部から離れるにつれて他方の前記第１長辺に近づくように延びており、
前記第２帯状部の前記長手方向に延びる一組の第２長辺のうち、前記生体情報収集センサを固定した際に前記第１帯状部の側となる一方は、前記センサ配置部から離れるにつれて他方の前記第２長辺に近づくように延びている、
請求項２に記載の固定ベルト。
【請求項４】
前記第１帯状部、及び前記第２帯状部の少なくとも一方には、
前記表面と前記裏面を貫通する複数の貫通穴が設けられている、
請求項１から請求項３のいずれか１項に記載の固定ベルト。
【考案の詳細な説明】
【技術分野】
【０００１】
本考案は、生体情報を収集する生体情報収集センサの固定に用いて好適な固定ベルトに関する。
【背景技術】
【０００２】
トレーニング効果の向上に寄与することを目的として、トレーニングの実施中に筋肉の酸素濃度を測定する運動補助装置が知られている（例えば特許文献１参照。）。この運動補助装置は、近赤外光を出力する発光部と、近赤外光に感度を有する受光部を備えており、組織を透過した発光部からの光を受光部が受光することで、筋肉に酸素を供給する血液の酸素濃度の測定を行う。
【先行技術文献】
【特許文献】
【０００３】
【特許文献１】特開２０１６−２１４３０９号公報
【考案の概要】
【考案が解決しようとする課題】
【０００４】
上述の特許文献１に記載された技術を用いて測定を行う場合には、発光部と受光部を備えた測定部（装着部）を、トレーニングを行う人（測定対象者）の皮膚などに密着させて固定する必要がある。一方、トレーニング中において測定対象者は、各部を動かして運動を行っているため、この運動補助装置を適切な位置に固定することが難しいという問題があった。即ち、運動によってその固定位置がずれてしまい、同一の場所の測定を行うことが困難であるという問題があった。また、運動によってその装着部と皮膚との間にわずかでも隙間があいてしまうと、その隙間から測定に不要な外来光が入射してしまい、正確な測定を行うことができないという問題もあった。
【０００５】
運動補助装置の装着部が、測定対象者の皮膚に密着して離れることのないように、ベルトなどを用いてしっかりと固定すれば、上記のような問題を防ぐことはできる。しかしながら、そのようにして固定を行うと、測定が行われる部分が不要に締め付けられて、測定対象者が違和感を覚えたり、皮膚血流が阻害されたりするなど、トレーニングの妨げになってしまうといった問題が生じてしまう。
【０００６】
本開示は、上記の課題を解決するためになされたものであって、トレーニングなどの運動を行う人の測定対象部位に、生体情報収集センサを適切に固定することが可能な固定ベルトを提供することを目的とする。
【課題を解決するための手段】
【０００７】
上記目的を達成するために、本考案は、以下の手段を提供する。
本考案の固定ベルトは、生体情報の収集が行われる測定対象者の測定対象部位に巻きつけられて、前記測定対象部位の前記生体情報を収集する生体情報収集センサを所望の位置に固定する帯状形状の固定ベルトであって、前記固定ベルトは、前記測定対象部位に配置された前記生体情報収集センサを覆うセンサ配置部と、前記センサ配置部の前記帯状形状の長手方向の一方の側の部分から、前記センサ配置部から離れる前記長手方向に向かって延出する第１帯状部と、前記センサ配置部の前記長手方向の他方の側の部分から、前記第１帯状部とは反対側に向かって延出する第２帯状部とを備えており、前記第１帯状部、及び前記第２帯状部の、前記生体情報収集センサを固定する際に前記測定対象部位の側を向く裏面の、前記センサ配置部から離れた側の端部には、前記固定ベルトの表面に接着、引き剥がし自在に固定可能な固定部がそれぞれ設けられ、前記センサ配置部は、少なくとも近赤外線を遮光する遮光素材から構成されていることを特徴とする。
【０００８】
本考案の固定ベルトによれば、測定対象部位に巻き付けるだけで、測定対象部位に装着された生体情報収集センサを容易に固定することができる。また、第１帯状部、及び第２帯状部の端部に、その表側の面に貼り付け、引き剥がし自在な固定部が設けられているため、その固定や取り外しを容易に行うことができる。また固定の際に生体情報収集センサを覆うセンサ配置部は、少なくとも近赤外線を遮光する遮光素材からできている。このため、測定の際に、測定の妨げとなる外来光が、生体情報収集センサと測定対象部位の間に入射してしまうことが防がれる。
【０００９】
上記考案においては、前記第１帯状部は、前記センサ配置部の前記長手方向と交わる幅方向の一方の側に寄った部分から延出する帯状の部分であり、前記第２帯状部は、前記センサ配置部の前記幅方向の前記第１帯状部とは反対の側に寄った部分から延出する帯状の部分であることが好ましい。
【００１０】
このようにすることにより、第１帯状部３と第２帯状部４をそれぞれ独立して測定対象部位に巻き付けて生体情報収集センサを固定することができる。このため、例えば大腿部や上肢など、場所によってその太さが異なる部位であっても、その太さの違いに応じた巻きつけを行うことができ、生体情報収集センサの固定を適切に行うことができる。
【００１１】
上記考案においては、前記第１帯状部の前記長手方向に延びる一組の第１長辺のうち、前記生体情報収集センサを固定した際に前記第２帯状部の側となる一方は、前記センサ配置部から離れるにつれて他方の前記第１長辺に近づくように延びており、前記第２帯状部の前記長手方向に延びる一組の第２長辺のうち、前記生体情報収集センサを固定した際に前記第１帯状部の側となる一方は、前記センサ配置部から離れるにつれて他方の前記第２長辺に近づくように延びていることが好ましい。
【００１２】
このようにすることにより、生体情報収集センサを固定する際に、第１帯状部と第２帯状部が重なった状態で巻き付けられることを防ぐことができる。このため、測定対象者の運動によって第１帯状部と第２帯状部の重なりが外れて巻き付けが緩くなり、生体情報収集センサの固定が緩んでしまうことが防がれる。
【００１３】
上記考案においては、前記第１帯状部、及び前記第２帯状部の少なくとも一方には、前記表面と前記裏面を貫通する複数の貫通穴が設けられていることが好ましい。
【００１４】
このようにすることにより、生体情報収集センサを固定した状態での通気性を確保し、測定対象者の不快感や違和感を軽減することができる。
【考案の効果】
【００１５】
本考案の固定ベルトによれば、トレーニングなどの運動を行う測定対象者の測定対象部位に、生体情報収集センサを適切に固定することが可能な固定ベルトを提供することができるという効果を奏する。
【図面の簡単な説明】
【００１６】
【図１】図１（ａ）は、本考案による固定ベルトの一実施形態を説明する正面図である。図１（ｂ）は、本考案による固定ベルトの一実施形態を説明する断面図である。
【図２】図２（ａ）は、本考案による固定ベルトを用いて生体情報収集センサを固定する様子を説明する図である。図２（ｂ）は、本考案による固定ベルトを用いて生体情報収集センサを固定する他の様子を説明する図である。
【図３】本考案による固定ベルトを用いて生体情報収集センサを固定した様子を説明する図である。
【図４】本考案による固定ベルトの他の実施形態を説明する正面図である。
【考案を実施するための形態】
【００１７】
この考案の一実施形態に係る固定ベルト１について、主に図１から図３を参照しながら説明する。なお、以降の説明において、前後、左右、上下、長手方向、幅方向などの方向は、特に断りのない限りそれぞれ図中に示す方向とする。また、図面に現れている側を表側あるいは表面、その反対側を裏側あるいは裏面とも記載する。
【００１８】
本実施形態に係る固定ベルト１は、生体情報収集センサ６０を、生体情報の収集が行われる測定対象者の測定が行われる部分（以降において「測定対象部位」とも記載する。）に固定するため帯状形状をしたベルトである。
【００１９】
ここで生体情報収集センサ６０は、測定対象部位の表面（測定対象者の測定が行われる部位の皮膚）に装着され、測定対象部位の組織の生体に関する情報を収集するものである。本実施形態において生体情報収集センサ６０は、トレーニングなどの運動を行っている測定対象者の筋肉などの組織の酸素濃度を、近赤外線を用いて測定する公知の組織酸素濃度モニタである例に適用して以降の説明を行う。
【００２０】
具体的に説明を行うと、生体情報収集センサ６０は、測定時に測定対象部位の皮膚と接触する部分である装着部６１に、主に近赤外線を発光する発光部６２と、光を受光する受光部６３を備えている。そして生体情報収集センサ６０は、受光部６３が受光した光に基づいて、発光部６２からの光が透過した組織の酸素濃度を公知の算出方法に従って算出する略直方体の形状をした組織酸素濃度モニタである。なお装着部６１、発光部６２、及び受光部６３は図示されていない。
【００２１】
即ち固定ベルト１は、装着部６１が測定対象部位の表面に密着した状態で生体情報収集センサ６０を測定対象部位に固定するためのものである。本実施形態では、生体情報収集センサ６０を、運動を行う測定対象者の上肢や下肢の測定対象部位に固定ベルト１を用いて固定する例に適用して以降の説明を行う。
【００２２】
＜１．構成の説明＞
固定ベルト１は、柔軟性、及び伸縮性のある薄板状の素材が、帯状の所定の形状に加工されたものである。固定ベルト１は、遮光性を有する素材からできている。具体的に説明を行うと、固定ベルト１は少なくとも近赤外線の領域の光を少なくとも遮光する素材からできている。より詳細には、固定ベルト１は、その波長がおよそ７００ｎｍから１．２μｍの領域の光を少なくとも遮光する素材からできていることが好ましい。
【００２３】
本実施形態において固定ベルト１は、布状素材から構成された表面部１１と遮光性を有するゴム製の薄板材から構成された裏面部１２が張り合わされた、薄板状の素材が帯状に加工されたものである例に適用して説明を行う（図１（ｂ）参照。）。
【００２４】
具体的に説明を行うと、本実施形態において表面部１１は、面ファスナーのフック部（面ファスナーのオス側）が貼り付け、引き剥がし可能な布素材からできており、裏面部１２は、公知のクロロプレンゴム製の薄板材からできている例に適用して以降の説明を行う。なお以降において、固定ベルト１の表面部１１が配置される側を表側あるいは表面と、裏面部１２が配置される側を裏側あるいは裏面とも記載する。このように裏面部１２にゴム製の素材を用いることで、その素材の性質から接触抵抗が発生するため、生体情報収集センサ６０と固定ベルト１が接触している部分の滑りが発生しにくくなり、正確な生体情報が得られやすくなる。
【００２５】
なお固定ベルト１は、柔軟性、伸縮性、及び少なくとも近赤外線を遮光する遮光性を有するとともに、その表側面が、詳細は後述する固定部５が、貼り付け、引き剥がし自在に固定できる素材であれば、他の公知の素材が用いられていてもよい。
【００２６】
固定ベルト１は、センサ配置部２、第１帯状部３、第２帯状部４、及び固定部５を主に備えている。センサ配置部２は、測定対象部位に配置された生体情報収集センサ６０を固定する際に、生体情報収集センサ６０の全体を覆うようにして配置される部分である。
【００２７】
図１（ａ）を参照して具体的に説明を行うと、センサ配置部２は、固定ベルト１の長手方向（図１（ａ）における左右方向）に延びる略台形の第１帯状部３と第２帯状部４の間に挟まれた、固定ベルト１の長手方向の略中心に位置する部分である。センサ配置部２は、長手方向に平行に延びる辺２２，２３と、長手方向に斜めに交わる方向に略平行に延びる辺２４，２５と、固定ベルト１の幅方向（図１（ａ）における上下方向）に略平行に延びる仮想線２１ａ，２１ｂにて囲まれた略六角形の形状をしている。
【００２８】
なお仮想線２１ａは、センサ配置部２と第１帯状部３とセンサ配置部２との境目の仮想の線であり、仮想線２１ｂは、センサ配置部２と第２帯状部４の境目の仮想の線である。センサ配置部２は、装着部６１と測定対象部位との間から不要な光が入射することを防ぐように生体情報収集センサ６０の全体を覆うことができる大きさを有している。なお図１（ａ）において、説明のためにセンサ配置部２における生体情報収集センサ６０の配置位置を、破線にて記載している。
【００２９】
第１帯状部３、及び第２帯状部４は、測定対象者の上肢や下肢などの測定対象部位に配置された生体情報収集センサ６０を固定する際に、その測定対象部位に巻き付けられて固定される部分である。
【００３０】
第１帯状部３は、センサ配置部２の仮想線２１ａの側の幅方向の一方の側（図１（ａ）における上側）に寄った部分から、センサ配置部２から離れる長手方向に向かって延出している。また第２帯状部４は、センサ配置部２の仮想線２１ｂの側の幅方向の他方の側（図１（ａ）における下側）に寄った部分から、第１帯状部３とは反対の方向に同様に延出している。
【００３１】
第１帯状部３、及び第２帯状部４は、それぞれセンサ配置部２から離れるにつれて、その幅が狭くなる略台形形状をしている。具体的に説明を行うと、第１帯状部３は、センサ配置部２の辺２２と同一の方向に傾斜して延びる長辺３２と、センサ配置部２から離れるにつれて長辺３２に近づくように延びる長辺３１を有する略台形形状をしている（図１（ａ）参照。）。なお、長辺３１，３２が、第１長辺の一例である。
【００３２】
また第２帯状部４は、センサ配置部２の辺２３と同一の方向に延びる長辺４２と、センサ配置部２から離れるにつれて長辺４２に近づくように傾斜して延びる長辺４１を備えた略台形形状をしている（図１（ａ）参照。）。なお長辺４１，４２が、第２長辺の一例である。
【００３３】
即ち第１帯状部３、及び第２帯状部４は、幅方向にずれたセンサ配置部２の長手方向を向くそれぞれの部分から、長手方向に向かってそれぞれ延出する略台形形状の帯状の部分である。そして測定対象部位に巻き付けられた際に、第２帯状部４の側となる第１帯状部３の長辺３１は、センサ配置部２から離れるにつれて長辺３２に近づくように傾斜して延びている。
【００３４】
また測定対象部位に巻き付けられた際に、第１帯状部３の側となる第２帯状部４の長辺４１も同様に、センサ配置部２から離れるにつれて長辺４２に近づくように傾斜して延びている。即ち、長辺３１、及び長辺４２は、第１帯状部３及び第２帯状部４が測定対象部位に巻き付けられた際に、互いに離れて配置されるように傾斜して延びている。
【００３５】
第１帯状部３、及び第２帯状部４の、センサ配置部２から離れた側の端部の裏面には、表面部１１に貼り付け、引き剥がし自在に固定可能な固定部５がそれぞれ設けられている。固定部５は、測定対象部位に巻き付けられた第１帯状部３、及び第２帯状部４を固定する部分である。
【００３６】
本実施形態において固定部５は、公知の面ファスナーのフック側（フック状に起毛された側、即ち面ファスナーのオス側）の部分である例に適用して以降の説明を行う。なお固定部５は、固定ベルト１の表側の面に貼り付け、引き剥がし自在に固定可能なものであれば、他の公知の構成の固定部材であってもよい。
【００３７】
＜２．使用方法の説明＞
続いて、本実施形態に係る固定ベルト１の使用方法について説明を行う。なお以降の説明では固定ベルト１が、測定対象者の大腿部に装着された生体情報収集センサ６０の固定に用いられる例に適用して以降の説明を行う。なお固定ベルト１は、下腿や上腕などの部分に配置された生体情報収集センサ６０の固定に用いられてもよい。
【００３８】
はじめに生体情報収集センサ６０を、測定対象者の大腿部の測定対象部位に配置する。具体的には生体情報収集センサ６０の図示されていない装着部６１を、測定対象者の大腿部の測定を行う部分に密着させるようにして配置する。
【００３９】
続いてセンサ配置部２によって生体情報収集センサ６０全体を覆うようにして、固定ベルト１を配置する。具体的には、固定ベルト１を測定対象者の大腿部と交差する向きにして、センサ配置部２が生体情報収集センサ６０全体を覆うようにして配置する（図２（ａ）参照。）。この際、固定ベルト１の裏面、即ち裏面部１２が、生体情報収集センサ６０の側を向くようにする。
【００４０】
続いて第１帯状部３を大腿部に巻き付ける。この際長辺３２が、辺２２と略平行になるようにして第１帯状部３を巻き付ける。即ち第１帯状部３の長辺３１側の部分が、第２帯状部４が巻き付けられる領域にできるだけはみ出さないようにして第１帯状部３を大腿部に巻き付ける。第１帯状部３を大腿部に巻き付けたら、その端部の固定部５を、固定ベルト１の表面（表面部１１）の対応する部分に貼り付けて、第１帯状部３を固定する（図２（ｂ）参照。）。
【００４１】
続けて第２帯状部４を大腿部に巻き付ける。この際、第２帯状部４の長辺４１側の部分が、既に巻き付けられている第１帯状部３と重ならないようにして巻き付ける。第２帯状部４を大腿部に巻き付けたら、その端部の固定部５を、固定ベルト１の表面に貼り付けて第２帯状部４を固定する（図３参照。）。
【００４２】
なお、はじめに第２帯状部４を巻き付けて、続けて第１帯状部３を大腿部に巻き付けてもよい。固定ベルト１を大腿部に巻きつけたら、生体情報収集センサ６０が所望の位置に正しく固定されているかを確認し、必要な場合には固定ベルト１による固定を調節する。
【００４３】
具体的には、生体情報収集センサ６０が測定対象者の皮膚とセンサ配置部２の間に挟まれて、所望の位置に適切に配置されていることを確認する。また、生体情報収集センサ６０の全体が、センサ配置部２によって完全に覆われ、外部の光が入射することのないように配置されていることを確認する。また、固定ベルト１の巻き付けがきつく、測定対象者が運動を行いにくいような場合には、固定部５を引き剥がして第１帯状部３や第２帯状部４を巻き付け直すなどして、その巻き付けの強さを調節する。
【００４４】
上記のように構成された固定ベルト１は、柔軟性、伸縮性を有する帯状の形状をしているため、固定ベルト１を測定対象部位に巻き付けることで、配置された生体情報収集センサ６０を容易に固定することができる。また、第１帯状部３、及び第２帯状部４の端部に、その表側の面に貼り付け、引き剥がし自在な固定部５が設けられているため、固定ベルト１の固定、及び取り外しも容易である。更に測定対象部位に巻き付けられた状態であっても固定ベルト１が伸縮するため、測定対象者は所望の運動を行い易い。
【００４５】
固定ベルト１は、遮光性を有する素材からできている。このため、正確な測定の妨げとなる外来光が、測定対象部位と装着部６１との間に入射してしまうことが防がれる。従って測定対象者がトレーニングなどの運動を行っている間でも、生体情報収集センサ６０を用いて正確な測定を行うことが可能となる。
【００４６】
更に第１帯状部３、及び第２帯状部４が、センサ配置部２の幅方向にそれぞれずれた位置から延出している。このため、第１帯状部３と第２帯状部４をそれぞれ独立して測定対象部位に巻き付けることができる。例えば、大腿部や上肢では、通常体幹側と末梢側ではその太さが異なる。このためそれらの部分に配置された生体情報収集センサ６０を、略長方形の公知の帯状のベルトを巻き付けて固定する場合には、体幹側の締め付けがきつくなり過ぎたり、あるいは末梢側の締め付けが緩くなり過ぎたりして、その固定を十分に行うことが難しい。
【００４７】
一方、本実施形態に係る固定ベルト１では、第１帯状部３、及び第２帯状部４をそれぞれ独立して巻き付けることができる。即ち、大腿部や上肢の太さに合わせてそれぞれを独立して測定対象部位に巻き付けることができる。このため、生体情報収集センサ６０が、大腿部や上肢のようにその場所によって太さの異なる部分に配置されている場合であっても、その固定を適切に行うことができる。また、生体情報収集センサ６０をしっかりと固定するために、その締め付けが不要にきつくなってしまう部分が生じてしまうことなども防ぐこともできる。
【００４８】
また、第１帯状部３の長辺３１は、測定対象部位に巻き付けられるにつれて第２帯状部４から離れる方向に傾斜して設けられている。また第２帯状部４の長辺４１も、測定対象部位に巻き付けられるにつれて第１帯状部３から離れる方向に傾斜して設けられている。
【００４９】
このため、第１帯状部３と第２帯状部４が重なることなく、固定ベルト１を対象部位に巻き付けて生体情報収集センサ６０を固定することができる。固定ベルト１を巻き付ける際に第１帯状部３と第２帯状部４が重なってしまうと、測定対象者が運動を行った際に、その重なった部分がずれることによって、巻き付けが緩くなり、生体情報収集センサ６０の固定がずれてしまうおそれがある。
【００５０】
一方、固定ベルト１は、第１帯状部３と第２帯状部４が重なることなく、測定対象部位に巻き付けることができるため、そのようなおそれがない。また、巻き付けが緩くなることを防ぐために、固定ベルト１の巻き付けが不要に強くなってしまう部分が生じてしまうことも防がれる。
【００５１】
なお、本考案の技術範囲は上記実施形態に限定されるものではなく、その趣旨を逸脱しない範囲において種々の変更を加えることが可能である。例えば、第１帯状部３と第２帯状部４に、複数の貫通穴６を設けた構成としてもよい（図４参照。）。
【００５２】
このような貫通穴６を複数設けることで、固定ベルト１Ａが巻き付けられた部分の通気性を確保して、測定対象者の不快感を軽減することができる。なお、貫通穴６を設ける際には、固定ベルト１Ａの強度を低下させないように、所定の間隔をあけることが好ましい。例えば、図４に示すように、それぞれの貫通穴６を、幅方向、及び長手方向にずらした位置に設けることで、一定程度の間隔を確保することが好ましい。なお貫通穴６の数は、図４に記載の数に限定される訳ではなく、図示されている数よりも多い数の貫通穴６を設けたり、少ない数の貫通穴６を設けたりしてもよい。また、第１帯状部３と第２帯状部４のいずれか一方にのみ、貫通穴６を設けた構成としてもよい。
【００５３】
上記の実施形態では、固定ベルト１全体が、遮光性を有した素材からできている例に適用して説明を行ったが、例えばセンサ配置部２のみが、遮光性を有する素材からできた構成としてもよい。例えば、センサ配置部２を、遮光性を有したゴム素材からなる薄板状の素材で構成し、第１帯状部３と第２帯状部４を、通気性に優れた柔軟性、及び伸縮性のある素材から構成してもよい。あるいはセンサ配置部２の、固定の際に生体情報収集センサ６０全体を覆う部分を遮光性のある素材で構成し、他の部分を、通気性に優れた柔軟性、伸縮性のある素材から構成してもよい。このようにすれば、通気性に優れた安価な固定ベルト１とすることができる。
【００５４】
また、センサ配置部２の裏側には、遮光性を有するゴム素材が用いられている。このようにすることで、センサ配置部２と生体情報収集センサ６０の表面（装着部６１とは反対側の部分）が接触したときの接触抵抗が大きくなり、生体情報収集センサ６０と固定ベルト１が一体化してズレが発生しにくくなる。このため生体情報収集センサ６０が的確に固定され、正確な生体情報が得られやすい。なおセンサ配置部２の裏側の部分には、生体情報収集センサ６０との接触抵抗が大きな遮光性、柔軟性、及び伸縮性を有した他の公知の素材が用いられてもよい。
【００５５】
上記の実施形態では、センサ配置部２が略六角形の形状をしている例に適用して説明を行ったが、他の形状をしていてもよい。例えば、センサ配置部２は略長方形の形状をしていてもよい。即ち、辺２４，２５が、辺２２，２３と略直交する方向に延びた形状をしていてもよい。あるいは、不要な外来光が生体情報収集センサ６０に入射してしまうことを防ぐことができ、第１帯状部３と第２帯状部４が、それぞれ幅方向にずれた部分から延出することができる形状であれば、他の公知の形状をしていてもよい。
【００５６】
上記の実施形態では、固定ベルト１が、組織酸素濃度モニタである生体情報収集センサ６０を固定する例に適用して説明を行った。一方、固定ベルト１は、他の公知の生体情報収集センサを固定するために用いられてもよい。例えば固定ベルト１が、パルスオキシメータや他の方式の生体情報収集センサなど、紫外光、可視光、近赤外光、赤外光などを用いて生体情報を測定する他の公知の生体情報収集センサなどを固定するために用いられてもよい。あるいは固定ベルト１が、測定対象部位に装着されて生体情報を収集する、光を利用しないその他の公知の生体情報収集センサを固定するために用いられてもよい。
【００５７】
また例えば、本考案を上記の実施形態に適用したものに限られることなく、これらの実施形態を適宜組み合わせた実施形態に適用してもよく、特に限定するものではない。
【符号の説明】
【００５８】
１、１Ａ…固定ベルト    ２…センサ配置部
３…第１帯状部    ４…第２帯状部    ５…固定部    ６…貫通穴
１１…表面部    １２…裏面部    ２１ａ，２１ｂ…仮想線
２２，２３，２４，２５…辺    ３１，３２，４１，４２…長辺
６０…生体情報収集センサ    ６１…装着部    ６２…発光部    ６３…受光部
【図１】
0003227193.tif 000003
【図２】
0003227193.tif 000004
【図３】
0003227193.tif 000005
【図４】
0003227193.tif 000006